(57)【要約】【課題】  複数のチャンネルのそれぞれのソース音信号を処理して、３次元的な拡がりを有する臨場感のある音場を効果的に創出する。【解決手段】  残響音信号ＹL（ｔ），ＹR（ｔ）の次時点における信号レベルの算出に際して、正規化部１１２が、Ｌ，Ｒチャンネルのソース音信号ＳL（ｔ），ＳR（ｔ）の現時点における信号レベルを所定の減衰率Ａで減衰させた減衰信号ＡL（ｔ），ＡR（ｔ）のそれぞれの絶対値の和を算出する。引き続き、正規化部１１２が、当該算出された和で、残響音信号ＹL（ｔ），ＹR（ｔ）の現時点の信号レベルのそれぞれを正規化する。そして、残響音信号レベル算出部１１４L，１１４Rが、当該正規化の結果に基づいて、正規化結果が大きな値となるほど、他の個別チャンネルのソース音信号の寄与度を高くして、次時点における残響音信号ＹL（ｔ），ＹR（ｔ）の信号レベルを算出する。【選択図】  図２
2014022754.tif 000002
【特許請求の範囲】
【請求項１】
複数のチャンネルのそれぞれのソース音信号を処理する音響信号処理装置であって、
前記複数のチャンネルにおける個別チャンネルに対応する残響音信号を生成する残響音信号生成部と；
前記個別チャンネルごとのソース音信号と、前記生成された残響音信号とに基づいて出力音信号を生成する出力音信号生成部と；を備え、
前記残響音信号生成部は、現時点における前記個別チャンネルに対応する前記残響音信号の信号レベルが大きな値になるほど、他の個別チャンネルのソース音信号がより多く寄与するように、次時点における前記残響音信号の信号レベルを算出する、
ことを特徴とする音響信号処理装置。
【請求項２】
前記残響音信号生成部は、前記複数のチャンネルにおける個別チャンネルごとに、
前記個別チャンネルに対応する残響音信号の現時点における信号レベルの絶対値に対して、前記個別チャンネルのソース音信号を第１所定減衰率で減衰させた第１減衰信号の現時点における信号レベルの絶対値と、前記他の個別チャンネルのソース音信号を第２所定減衰率で減衰させた第２減衰信号の現時点における信号レベルの絶対値との和に基づく正規化を行う正規化部を備えるとともに、
前記正規化部による正規化結果が大きな値となるほど、前記他の個別チャンネルのソース音信号の寄与度を高くして、前記次時点における前記個別チャンネルに対応する残響音信号の信号レベルを算出する、
ことを特徴とする請求項１に記載の音響信号処理装置。
【請求項３】
前記複数のチャンネルは、２つの個別チャンネルであり、
前記第１所定減衰率と前記第２所定減衰率とは同一である、
ことを特徴とする請求項２に記載の音響信号処理装置。
【請求項４】
前記残響音信号生成部は、前記複数のチャンネルにおける個別チャンネルごとに、
前記正規化部による正規化結果に基づいて、非負の値を有し、前記正規化結果が所定値以下の場合には、前記正規化結果が大きくなるほど大きな値となる第１重み係数を算出し、前記算出された第１重み係数を、所定オフセット値だけ変化させた後に符号反転させた第２重み係数を算出する重み係数算出部と；
前記第２減衰信号の現時点の信号レベルに前記第２重み係数を乗じた結果に前記第１減衰信号の現時点の信号レベルを加えて、前記次時点における前記個別チャンネルに対応する残響音信号の信号レベルを算出する残響音信号レベル算出部と；を備える、
ことを特徴とする請求項２又は３に記載の音響信号処理装置。
【請求項５】
前記出力音信号生成部は、前記個別チャンネルごとに配置され、前記個別チャンネルのソース音信号に、前記個別チャンネルに対応する残響音信号に前記第１重み係数を乗じた結果を加算する加算部を備える、ことを特徴とする請求項４に記載の音響信号処理装置。
【請求項６】
前記出力音信号生成部は、前記個別チャンネルごとに配置され、前記個別チャンネルのソース音信号に対して、前記第１重み係数に対応した度合いの上方への音場拡大感の効果を付与する第１フィルタ部を備える、ことを特徴とする請求項４に記載の音響信号処理装置。
【請求項７】
前記出力音信号生成部は、前記個別チャンネルごとに配置され、前記第１フィルタ部により効果が付与された信号に、前記個別チャンネルに対応する残響音信号に前記第１重み係数を乗じた結果を加算する加算部を更に備える、ことを特徴とする請求項６に記載の音響信号処理装置。
【請求項８】
前記出力音信号生成部は、前記個別チャンネルごとに配置された、
前記個別チャンネルに対応するソース音信号に、前記個別チャンネルに対応する残響音信号を重畳させる効果音重畳部と；
前記効果音重畳部による重畳結果に前記第１重み係数を乗じて、前記出力音信号とは異なる別出力音信号を算出する別出力信号算出部と；
を更に備える請求項４〜７のいずれか一項に記載の音響信号処理装置。
【請求項９】
前記出力音信号生成部は、前記個別チャンネルごとに配置された、
前記個別チャンネルに対応する残響音信号に対して、後横方向及び後方への音場拡大感の効果を付与する第２フィルタ部と；
前記第２フィルタ部により効果が付与された信号を、前記個別チャンネルのソース音信号に重畳させる効果音重畳部と；
前記効果音重畳部により生成された信号に前記第１重み係数を乗じて、前記出力音信号とは異なる別出力信号を算出する別出力信号算出部と；
を更に備える請求項４〜７のいずれか一項に記載の音響信号処理装置。
【請求項１０】
複数のチャンネルのそれぞれのソース音信号を処理する音響信号処理方法であって、
前記複数のチャンネルにおける個別チャンネルに対応する残響音信号を生成する残響音信号生成工程と；
前記個別チャンネルごとのソース音信号と、前記生成された残響音信号とに基づいて出力音信号を生成する出力音信号生成工程と；を備え、
前記残響音信号生成工程では、現時点における前記個別チャンネルに対応する前記残響音信号の信号レベルが大きな値になるほど、他の個別チャンネルのソース音信号がより多く寄与するように、次時点における前記残響音信号の信号レベルを算出する、
ことを特徴とする音響信号処理方法。
【請求項１１】
請求項１０に記載の音響信号処理方法を演算部に実行させる、ことを特徴とする音響信号処理プログラム。
【請求項１２】
請求項１１に記載の音響信号処理プログラムが、演算部により読み取り可能に記録されている、ことを特徴とする記録媒体。
【発明の詳細な説明】
【技術分野】
【０００１】
本発明は、音響信号処理装置、音響信号処理方法及び音響信号処理プログラム、並びに、当該音響信号処理プログラムが記録された記録媒体に関する。
【背景技術】
【０００２】
従来から、音楽や映画のコンテンツを楽しむ際に、コンテンツに含まれるソース音に残響音等の効果音を加えたサラウンド音声を生成して、３次元的な拡がりを有する臨場感のある音場を創出させるサラウンドフィールドコントロール（Surround Field Control：以下、「ＳＦＣ」という）技術が知られている。こうしたＳＦＣ技術の一つとして、安定した信号レベルと拡がり感とを実現できるサラウンド信号を生成することができる技術が提案されている（特許文献１参照：以下、「従来例」という）。
【０００３】
かかる従来例の技術では、一のチャンネルに対応するソース音信号と、当該一のチャンネルに対応する所定時間前のサラウンド信号の信号レベルに応じて所定範囲内で変化する変数と、他のチャンネルのソース音信号とに基づいて、当該一のチャンネルに対応するサラウンド信号を生成するようになっている。例えば、所定時間前の当該サラウンド信号の信号レベルをＬS（ｔ−１）とした場合、当該変数ＷLを、以下の（１）式により算出する。そして、当該サラウンド信号の信号レベルＬS（ｔ）を、当該一のチャンネルのソース音信号をＬi（ｔ）とし、当該他のチャンネルのソース音信号をＲi（ｔ）として、以下の（２）式により算出する。
【０００４】
ＷL（ｔ）＝ｃｏｓ（θ1−θ2・｜ＬS（ｔ−１）｜）        …（１）
ここで、値θ1，θ2は、予め設定された定数である。
ＬS（ｔ）＝Ｌi（ｔ）＋Ｒi（ｔ）・ＷL（ｔ）             …（２）
【先行技術文献】
【特許文献】
【０００５】
【特許文献１】特許第４７９７０６５号公報
【発明の概要】
【発明が解決しようとする課題】
【０００６】
上述した従来例の技術では、サラウンド信号の信号レベルＬS（ｔ）の生成に利用される変数が所定範囲内で変化する。この結果、効果音加工が施されるチャンネルのソース音信号の信号レベルによらず、当該チャンネルに対応した、ある程度一定の効果量が付与されたサラウンド信号を生成することができる。しかしながら、３次元的な拡がりを有する臨場感のある音場を創出させるためには、ソース音信号の信号レベルに応じて、付与される効果量を変化させる観点も必要である。
【０００７】
このため、効果音加工が施されるソース音信号の信号レベルをも考慮して、３次元的な拡がりを有する臨場感のある音場を効果的に創出できる技術が待望されている。かかる要請に応えることが、本発明が解決すべき課題の一つとして挙げられる。
【０００８】
本発明は、上記の事情に鑑みてなされたものであり、複数のチャンネルのそれぞれのソース音信号を処理して、３次元的な拡がりを有する臨場感のある音場を効果的に創出できる音響信号処理装置及び音響信号処理方法を提供することを目的とする。
【課題を解決するための手段】
【０００９】
請求項１に記載の発明は、複数のチャンネルのそれぞれのソース音信号を処理する音響信号処理装置であって、前記複数のチャンネルにおける個別チャンネルに対応する残響音信号を生成する残響音信号生成部と；前記個別チャンネルごとのソース音信号と、前記生成された残響音信号とに基づいて出力音信号を生成する出力音信号生成部と；を備え、前記残響音信号生成部は、現時点における前記個別チャンネルに対応する前記残響音信号の信号レベルが大きな値になるほど、他の個別チャンネルのソース音信号がより多く寄与するように、次時点における前記残響音信号の信号レベルを算出する、ことを特徴とする音響信号処理装置である。
【００１０】
請求項１０に記載の発明は、複数のチャンネルのそれぞれのソース音信号を処理する音響信号処理方法であって、前記複数のチャンネルにおける個別チャンネル対応する残響音信号を生成する残響音信号生成工程と；前記個別チャンネルごとのソース音信号と、前記生成された残響音信号とに基づいて出力音信号を生成する出力音信号生成工程と；を備え、前記残響音信号生成工程では、現時点における前記個別チャンネルに対応する前記残響音信号の信号レベルが大きな値になるほど、他の個別チャンネルのソース音信号がより多く寄与するように、次時点における前記残響音信号の信号レベルを算出する、ことを特徴とする音響信号処理方法である。
【００１１】
請求項１１に記載の発明は、請求項１０に記載の音響信号処理方法を演算部に実行させる、ことを特徴とする音響信号処理プログラムである。
【００１２】
請求項１２に記載の発明は、請求項１１に記載の音響信号処理プログラムが、演算部により読み取り可能に記録されている、ことを特徴とする記録媒体である。
【図面の簡単な説明】
【００１３】
【図１】本発明の一実施形態に係る音響信号処理装置１００の構成を概略的に示すブロック図である。
【図２】図１の残響音信号生成部１１０の構成を示すブロック図である。
【図３】正規化結果の変化に伴う係数Ｗ2L（ｔ）（Ｗ2R（ｔ））の変化の様子を示す図である。
【図４】正規化結果の変化に伴う係数Ｗ1L（ｔ）（Ｗ1R（ｔ））の変化の様子を示す図である。
【図５】図１の個別出力音信号生成部１２１FLの構成を示すブロック図である。
【図６】図５の帯域制限フィルタ部２２１の特性を示す図である。
【図７】図１の個別出力音信号生成部１２１RLの構成を示すブロック図である。
【図８】図７の帯域制限フィルタ部２６１の特性を示す図である。
【図９】図７のＬＰＦ部２７１の特性を示す図である。
【図１０】図７のＨＰＦ部２７２の特性を示す図である。
【図１１】図１の個別出力音信号生成部１２１FRの構成を示すブロック図である。
【図１２】図１の個別出力音信号生成部１２１RRの構成を示すブロック図である。
【発明を実施するための形態】
【００１４】
以下、本発明の一実施形態を、図１〜図１２を参照して説明する。なお、以下の説明及び図面においては、同一又は同等の要素については同一の符号を付し、重複する説明を省略する。
【００１５】
［構成］
図１には、一実施形態に係る音響信号処理装置１００の構成が、ブロック図にて示されている。
【００１６】
この図１に示されるように、音響信号処理装置１００は、音源ユニット５１０と接続されている。また、音響信号処理装置１００は、音出力ユニット５２０FL，５２０RL，５２０FR，５２０RRと接続される。
【００１７】
上記の音源ユニット５１０は、２チャンネルステレオ方式におけるレフトチャンネル（以下、「Ｌチャンネル」と呼ぶ）のソース音信号ＳL（ｔ）（ｔ：時刻）と、ライトチャンネル（以下、「Ｒチャンネル」と呼ぶ）のソース音信号ＳR（ｔ）を出力するようになっている。音源ユニット５１０から出力されたソース音信号ＳL（ｔ），ＳR（ｔ）は、音響信号処理装置１００に供給される。
【００１８】
なお、音源ユニット５１０としては、例えば、ＤＶＤ（Digital Versatile Disk）等の記録媒体に記録された２チャンネルステレオ方式の音声コンテンツのデータを読み取るユニットや、ステレオ放送波の受信結果から音声コンテンツのデータを抽出するユニット等が挙げられる。
【００１９】
上記の音出力ユニット５２０j（ｊ＝ＦＬ，ＲＬ，ＦＲ，ＲＲ）は、音響信号処理装置１００から送られた出力音信号Ｄj（ｔ）を受ける。そして、音出力ユニット５２０jは、出力音信号Ｄj（ｔ）に対応する音を、スピーカＳＰjから再生出力する。
【００２０】
なお、本実施形態においては、スピーカＳＰFLは想定聴取位置の左前方に配置され、スピーカＳＰRLは想定聴取位置の左後方に配置されるようになっている。また、スピーカＳＰFRは想定聴取位置の右前方に配置され、スピーカＳＰRRは想定聴取位置の右後方に配置されるようになっている。
【００２１】
＜音響信号処理装置１００の構成＞
次に、上記の音響信号処理装置１００の構成について説明する。
【００２２】
図１に示されるように、音響信号処理装置１００は、残響音信号生成部１１０を備えている。また、音響信号処理装置１００は、出力音信号生成部１２０を備えている。
【００２３】
上記の残響音信号生成部１１０は、音源ユニット５１０から送られたソース音信号ＳL（ｔ），ＳR（ｔ）を受ける。そして、残響音信号生成部１１０は、ソース音信号ＳL（ｔ），ＳR（ｔ）に基づいて、残響音信号ＹL（ｔ），ＹR（ｔ）及び重み係数Ｗ2L（ｔ），Ｗ2R（ｔ）を生成する。こうして生成された残響音信号ＹL（ｔ），ＹR（ｔ）及び重み係数Ｗ2L（ｔ），Ｗ2R（ｔ）は、出力音信号生成部１２０へ送られる。
【００２４】
なお、残響音信号生成部１１０の構成の詳細については、後述する。
【００２５】
上記の出力音信号生成部１２０は、音源ユニット５１０から送られたソース音信号ＳL（ｔ），ＳR（ｔ）、並びに、残響音信号生成部１１０から送られた残響音信号ＹL（ｔ），ＹR（ｔ）及び重み係数Ｗ2L（ｔ），Ｗ2R（ｔ）を受ける。そして、出力音信号生成部１２０は、ソース音信号ＳL（ｔ），ＳR（ｔ）、残響音信号ＹL（ｔ），ＹR（ｔ）及び重み係数Ｗ2L（ｔ），Ｗ2R（ｔ）に基づいて、残響音効果のための加工が施された出力音信号ＤFL（ｔ），ＤRL（ｔ），ＤFR（ｔ），ＤRR（ｔ）を生成する。
【００２６】
かかる機能を有する出力音信号生成部１２０は、個別出力音信号生成部１２１FL，１２１RLを備えている。また、出力音信号生成部１２０は、個別出力音信号生成部１２１FR，１２１RRを備えている。
【００２７】
上記の個別出力音信号生成部１２１FLは、ソース音信号ＳL（ｔ）、残響音信号ＹL（ｔ）及び重み係数Ｗ2L（ｔ）を受ける。そして、個別出力音信号生成部１２１FLは、ソース音信号ＳL（ｔ）、残響音信号ＹL（ｔ）及び重み係数Ｗ2L（ｔ）に基づいて、出力音信号ＤFL（ｔ）を生成する。こうして生成された出力音信号ＤFL（ｔ）は、音出力ユニット５２０FLへ送られる。
【００２８】
上記の個別出力音信号生成部１２１RLは、ソース音信号ＳL（ｔ）、残響音信号ＹL（ｔ）及び重み係数Ｗ2L（ｔ）を受ける。そして、個別出力音信号生成部１２１RLは、ソース音信号ＳL（ｔ）、残響音信号ＹL（ｔ）及び重み係数Ｗ2L（ｔ）に基づいて、出力音信号ＤRL（ｔ）を生成する。こうして生成された出力音信号ＤRL（ｔ）は、音出力ユニット５２０RLへ送られる。
【００２９】
上記の個別出力音信号生成部１２１FRは、ソース音信号ＳR（ｔ）、残響音信号ＹR（ｔ）及び重み係数Ｗ2R（ｔ）を受ける。そして、個別出力音信号生成部１２１FRは、ソース音信号ＳR（ｔ）、残響音信号ＹR（ｔ）及び重み係数Ｗ2R（ｔ）に基づいて、出力音信号ＤFR（ｔ）を生成する。こうして生成された出力音信号ＤFR（ｔ）は、音出力ユニット５２０FRへ送られる。
【００３０】
上記の個別出力音信号生成部１２１RRは、ソース音信号ＳR（ｔ）、残響音信号ＹR（ｔ）及び重み係数Ｗ2R（ｔ）を受ける。そして、個別出力音信号生成部１２１RRは、ソース音信号ＳR（ｔ）、残響音信号ＹR（ｔ）及び重み係数Ｗ2R（ｔ）に基づいて、出力音信号ＤRR（ｔ）を生成する。こうして生成された出力音信号ＤRR（ｔ）は、音出力ユニット５２０RRへ送られる。
【００３１】
なお、個別出力音信号生成部１２１FL，１２１RL，１２１FR，１２１RRの構成の詳細については、後述する。
【００３２】
＜残響音信号生成部１１０の構成＞
次いで、残響音信号生成部１１０構成について説明する。
【００３３】
残響音信号生成部１１０は、図２に示されるように、減衰部１１１L，１１１Rと、正規化部１１２とを備えている。また、残響音信号生成部１１０は、重み係数算出部１１３L，１１３Rと、残響音信号レベル算出部１１４L，１１４Rとを備えている。
【００３４】
上記の減衰部１１１Lは、音源ユニット５１０から送られたソース音信号ＳL（ｔ）を受ける。そして、減衰部１１１Lは、ソース音信号ＳL（ｔ）に定数Ａ（＜１）を乗じ、減衰信号ＡL（ｔ）を算出する。こうして算出された減衰信号ＡL（ｔ）は、正規化部１１２及び残響音信号レベル算出部１１４L，１１４Rへ送られる。
【００３５】
上記の減衰部１１１Rは、音源ユニット５１０から送られたソース音信号ＳR（ｔ）を受ける。そして、減衰部１１１Rは、ソース音信号ＳR（ｔ）に定数Ａ（＜１）を乗じ、減衰信号ＡR（ｔ）を算出する。こうして算出された減衰信号ＡR（ｔ）は、正規化部１１２及び残響音信号レベル算出部１１４L，１１４Rへ送られる。
【００３６】
なお、本実施形態では、Ａ＝１／２となっている。
【００３７】
上記の正規化部１１２は、減衰部１１１L，１１１Ｒから送られた減衰信号ＡL（ｔ），ＡR（ｔ）を受ける。また、正規化部１１２は、残響音信号レベル算出部１１４L，１１４Rから送られた残響音信号ＹL（ｔ），ＹR（ｔ）を受ける。そして、正規化部１１２は、次の（３），（４）式により、正規化信号ＮL（ｔ），ＮR（ｔ）を算出する。
【００３８】
ＮL（ｔ）＝｜ＹL（ｔ）｜／（｜ＡL（ｔ）｜＋｜ＡR（ｔ）｜）    …（３）
ＮR（ｔ）＝｜ＹR（ｔ）｜／（｜ＡL（ｔ）｜＋｜ＡR（ｔ）｜）    …（４）
【００３９】
こうして算出された正規化信号ＮL（ｔ）は、重み係数算出部１１３Lへ送られる。また、算出された正規化信号ＮR（ｔ）は、重み係数算出部１１３Rへ送られる。
【００４０】
上記の重み係数算出部１１３Lは、正規化部１１２から送られた正規化信号ＮL（ｔ）を受ける。そして、重み係数算出部１１３Lは、定数ａ，ｂ，ｃを用いて、次の（５），（６）式により重み係数Ｗ2L（ｔ），Ｗ1L（ｔ）を算出する。
【００４１】
Ｗ2L（ｔ）＝（（１−ａ）／ｂ）・ＮL（ｔ）＋ａ        …（５）
ここで、０＜ａ＜１であり、０＜ｂ＜１である。また、（５）式による算出結果が１を超える場合には、重み係数算出部１１３Lは、重み係数Ｗ2L（ｔ）を１とする。
【００４２】
Ｗ1L（ｔ）＝−（Ｗ2L（ｔ）−ｃ）                    …（６）
ここで、０＜ｃ＜ａである
【００４３】
こうして算出された重み係数Ｗ1L（ｔ）は、残響音信号レベル算出部１１４Lへ送られる。また、算出された重み係数Ｗ2L（ｔ）は、出力音信号生成部１２０へ送られる。
【００４４】
上記の重み係数算出部１１３Rは、正規化部１１２から送られた正規化信号ＮR（ｔ）を受ける。そして、重み係数算出部１１３Rは、定数ａ，ｂ，ｃを用いて、次の（７），（８）式により重み係数Ｗ2R（ｔ），Ｗ1R（ｔ）を算出する。
【００４５】
Ｗ2R（ｔ）＝（（１−ａ）／ｂ）・ＮR（ｔ）＋ａ        …（７）
Ｗ1R（ｔ）＝−（Ｗ2R（ｔ）−ｃ）                    …（８）
ここで、（７）式による算出結果が１を超える場合には、重み係数算出部１１３Rは、重み係数Ｗ2R（ｔ）を１とする。
【００４６】
こうして算出された重み係数Ｗ1R（ｔ）は、残響音信号レベル算出部１１４Rへ送られる。また、算出された重み係数Ｗ2R（ｔ）は、出力音信号生成部１２０へ送られる。
【００４７】
上記の残響音信号レベル算出部１１４Lは、減衰部１１１L，１１１Ｒから送られた減衰信号ＡL（ｔ），ＡR（ｔ）、及び、重み係数算出部１１３Lから送られた重み係数Ｗ1L（ｔ）を受ける。そして、残響音信号レベル算出部１１４Lは、次の（９）式により、次時点の残響音信号ＹL（ｔ）の信号レベルを算出する。
ＹL（ｔ）＝ＡL（ｔ）＋Ｗ1L（ｔ）・ＡR（ｔ）          …（９）
【００４８】
上記の残響音信号レベル算出部１１４Rは、減衰部１１１L，１１１Ｒから送られた減衰信号ＡL（ｔ），ＡR（ｔ）、及び、重み係数算出部１１３Rから送られた重み係数Ｗ1R（ｔ）を受ける。そして、残響音信号レベル算出部１１４Rは、次の（１０）式により、次時点の残響音信号ＹR（ｔ）の信号レベルを算出する。
ＹR（ｔ）＝ＡR（ｔ）＋Ｗ1R（ｔ）・ＡL（ｔ）          …（１０）
【００４９】
こうして信号レベルが順次算出される残響音信号ＹL（ｔ），ＹR（ｔ）が、出力音信号生成部１２０及び正規化部１１２へ送られる。
【００５０】
なお、正規化信号ＮL（ｔ），ＮR（ｔ）の変化に応じた重み係数Ｗ2L（ｔ），Ｗ2R（ｔ）の変化の様子が、図３に示されている。また、正規化信号ＮL（ｔ），ＮR（ｔ）の変化に応じた重み係数Ｗ1L（ｔ），Ｗ1R（ｔ）の変化の様子が、図４に示されている。
【００５１】
＜個別出力音信号生成部１２１FLの構成＞
次に、上記の個別出力音信号生成部１２１FLの構成について説明する。
【００５２】
個別出力音信号生成部１２１FLは、図５に示されるように、第１フィルタ部としてのフィルタ部２１０Lと、残響音成分算出部２２０Lとを備えている。また、個別出力音信号生成部１２１FLは、加算部２３０Lを備えている。
【００５３】
上記のフィルタ部２１０Lは、音源ユニット５１０から送られたソース音信号ＳL（ｔ）に対して、上方への音場拡大感と前方への奥行き感とを、重み係数Ｗ2L（ｔ）に対応する度合いで創出させるための加工を施す。かかる機能を有するフィルタ部２１０Lは、上方音場拡大フィルタ部２１１と、乗算部２１２，２１３と、加算部２１４とを備えている。
【００５４】
上記の上方音場拡大フィルタ部２１１は、中音域における所定周波数ＦU近傍の信号成分を選択的に減衰させることを、主な特性として有している。この上方音場拡大フィルタ部２１１は、音源ユニット５１０から送られたソース音信号ＳL（ｔ）を受ける。そして、上方音場拡大フィルタ部２１１は、ソース音信号ＳL（ｔ）に対して、上方への音場拡大感と前方への奥行き感とを創出させるための加工を施す。上方音場拡大フィルタ部２１１による加工結果は、乗算部２１２へ送られる。
【００５５】
上記の乗算部２１２は、上方音場拡大フィルタ部２１１から送られた加工結果を受ける。また、乗算部２１２は、残響音信号生成部１１０から送られた重み係数Ｗ2L（ｔ）を受ける。そして、乗算部２１２は、上方音場拡大フィルタ部２１１による加工結果に重み係数Ｗ2L（ｔ）を乗算する。乗算部２１２による乗算結果は、加算部２１４へ送られる。
【００５６】
上記の乗算部２１３は、音源ユニット５１０から送られたソース音信号ＳL（ｔ）を受ける。また、乗算部２１３は、残響音信号生成部１１０から送られた重み係数Ｗ2L（ｔ）を受ける。そして、乗算部２１３は、ソース音信号ＳL（ｔ）に定数（１−Ｗ2L（ｔ））を乗算する。乗算部２１３による乗算結果は、加算部２１４へ送られる。
【００５７】
上記の加算部２１４は、乗算部２１２から送られた乗算結果、及び、乗算部２１３から送られた乗算結果を受ける。そして、加算部２１４は、両乗算結果を加算する。加算部２１４による加算結果は、加算部２３０Lへ送られる。
【００５８】
以上のように構成されたフィルタ部２１０Lは、重み係数Ｗ2L（ｔ）が大きくなるほど、所定周波数ＦU近傍の信号成分の選択的な減衰の仕方が激しくなる特性を有するようになっている。
【００５９】
上記の残響音成分算出部２２０Lは、残響音信号生成部１１０で生成された残響音信号ＹL（ｔ）及び重み係数Ｗ2L（ｔ）に基づいて、フィルタ部２１０Lによる加工結果に重畳すべき残響音成分を算出する。かかる機能を有する残響音成分算出部２２０Lは、帯域制限フィルタ部２２１と、遅延部２２２と、乗算部２２３とを備えている。
【００６０】
上記の帯域制限フィルタ部２２１は、残響音信号生成部１１０から送られた残響音信号ＹL（ｔ）を受ける。そして、帯域制限フィルタ部２２１は、残響音信号ＹL（ｔ）から、上方音場拡大フィルタ部２１１による主な加工対象の周波数帯域よりも低い周波数帯域（すなわち、低音域）における所定周波数範囲の信号成分を抽出する。帯域制限フィルタ部２２１による抽出結果は、遅延部２２２へ送られる。
【００６１】
なお、上述の所定周波数範囲は、残響音効果の発揮の観点から、実験、経験等に基いて、予め定められる。
【００６２】
上記の遅延部２２２は、帯域制限フィルタ部２２１から送られた抽出結果を受ける。そして、遅延部２２２は、当該抽出結果に対して時間Δｔ1の遅延を付与する。遅延部２２２による遅延結果は、乗算部２２３へ送られる。
【００６３】
なお、上述の時間Δｔ1は、残響音効果の発揮の観点から、実験、経験等に基づいて、予め定められる。
【００６４】
上記の乗算部２２３は、遅延部２２２から送られた遅延結果を受ける。また、乗算部２２３は、残響音信号生成部１１０から送られた重み係数Ｗ2L（ｔ）を受ける。そして、乗算部２２３は、当該遅延結果に重み係数Ｗ2L（ｔ）を乗算する。乗算部２２３による乗算結果は、加算部２３０Lへ送られる。
【００６５】
上記の加算部２３０Lは、フィルタ部２１０Lの加算部２１４による加算結果、及び、残響音成分算出部２２０Lの乗算部２２３から送られた乗算結果を受ける。そして、加算部２３０Lは、当該加算結果と当該乗算結果とを加算する。加算部２３０Lによる加算結果は、出力音信号ＤFL（ｔ）として、音出力ユニット５２０FLへ送られる。
【００６６】
なお、図６には、本実施形態における帯域制限フィルタ部２２１の特性が示されている。この図６に示されるように、帯域制限フィルタ部２２１は、低音域の周波数ＦF1から周波数ＦF2までの周波数範囲の信号成分を抽出するバンドパスフィルタ（ＢＰＦ）としての特性を有している。
【００６７】
＜個別出力音信号生成部１２１RLの構成＞
次に、上記の個別出力音信号生成部１２１RLの構成について説明する。
【００６８】
個別出力音信号生成部１２１RLは、図７に示されるように、第２フィルタ部の一部としてのフィルタ部２６０Lと、効果音重畳部２７０Lとを備えている。また、個別出力音信号生成部１２１RLは、乗算部２８０Lを備えている。
【００６９】
上記のフィルタ部２６０Lは、残響音信号生成部１１０から送られた残響音信号ＹL（ｔ）に対して、後横方向及び後方への音場拡大感を、重み係数Ｗ2L（ｔ）に対応する度合いで創出させるための加工を施す。かかる機能を有するフィルタ部２６０Lは、帯域制限フィルタ部２６１と、後方音場拡大フィルタ部２６２と、遅延部２６３とを備えている。
【００７０】
上記の帯域制限フィルタ部２６１は、残響音信号生成部１１０から送られた残響音信号ＹL（ｔ）を受ける。そして、帯域制限フィルタ部２６１は、残響音信号ＹL（ｔ）から、低音域から高音域までの広い所定帯域（周波数ＦR1から周波数ＦR2まで：後述する図８参照）の信号成分を抽出する。帯域制限フィルタ部２６１による抽出結果は、後方音場拡大フィルタ部２６２へ送られる。
【００７１】
上記の後方音場拡大フィルタ部２６２は、周波数ＦR3（ＦR1＜ＦR3＜ＦR2）以下の周波数範囲の信号成分については、そのまま透過させる特性を有している。また、後方音場拡大限フィルタ部２６２は、周波数ＦR3以上の周波数範囲においては、周波数が増加するに従って、透過率が一度減少した後に増加し、その後に再度減少する特性を有している。
【００７２】
この後方音場拡大フィルタ部２６２は、帯域制限フィルタ部２６１から送られた抽出結果を受ける。そして、後方音場拡大フィルタ部２６２は、当該抽出結果に、後横方向及び後方への音場拡大感を創出させるための加工を施す。後方音場拡大フィルタ部２６２による加工結果は、遅延部２６３へ送られる。
【００７３】
上記の遅延部２６３は、後方音場拡大フィルタ部２６２から送られた加工結果を受ける。そして、遅延部２６３は、当該加工結果に対して時間Δｔ2の遅延を付与する。遅延部２６３による遅延結果は、効果音重畳部２７０Lへ送られる。
【００７４】
なお、上述の時間Δｔ2は、残響音効果の発揮の観点から、実験、経験等に基づいて、予め定められる。
【００７５】
上記の効果音重畳部２７０Lは、音源ユニット５１０から送られたソース音信号ＳL（ｔ）に、フィルタ部２６０Lによる加工結果を重畳させる。かかる機能を有する効果音重畳部２７０Lは、ローパスフィルタ（ＬＰＦ）部２７１と、ハイパスフィルタ（ＨＰＦ）部２７２とを備えている。また、効果音重畳部２７０は、加算部２７３と、遅延部２７４と、加算部２７５とを備えている。
【００７６】
上記のＬＰＦ部２７１は、音源ユニット５１０から送られたソース音信号ＳL（ｔ）を受ける。そして、ＬＰＦ部２７１は、ソース音信号ＳL（ｔ）における所定閾値周波数未満の信号成分を抽出する。ＬＰＦ部２７１による抽出結果は、加算部２７５へ送られる。
【００７７】
上記のＨＰＦ部２７２は、音源ユニット５１０から送られたソース音信号ＳL（ｔ）を受ける。そして、ＨＰＦ部２７２は、ソース音信号ＳL（ｔ）における所定閾値周波数以上の信号成分を抽出する。ＨＰＦ部２７２による抽出結果は、加算部２７３へ送られる。
【００７８】
上記の加算部２７３は、ＨＰＦ部２７２から送られた抽出結果、及び、フィルタ部２６０Lから送られた加工結果を受ける。そして、加算部２７３は、当該抽出結果と当該加工結果とを加算する。加算部２７３による加算結果は、遅延部２７４へ送られる。
【００７９】
上記の遅延部２７４は、加算部２７３から送られた加算結果を受ける。そして、遅延部２７４は、当該加算結果に対して時間Δｔ3の遅延を付与する。遅延部２７３による遅延結果は、加算部２７５へ送られる。
【００８０】
なお、上述の時間Δｔ3は、残響音効果の発揮の観点から、実験、経験等に基づいて、予め定められる。
【００８１】
上記の加算部２７５は、ＬＰＦ部２７１から送られた抽出結果、及び、遅延部２７４から送られた遅延結果を受ける。そして、加算部２７５は、当該抽出結果と当該遅延結果とを加算する。加算部２７５による加算結果は、乗算部２８０Lへ送られる。
【００８２】
上記の乗算部２８０Lは、効果音重畳部２７０Lの加算部２７５から送られた加算結果を受ける。また、乗算部２８０Lは、残響音信号生成部１１０から送られた重み係数Ｗ2L（ｔ）を受ける。そして、乗算部２８０Lは、加算部２７５による加算結果に重み係数Ｗ2L（ｔ）を乗算する。乗算部２８０Lによる乗算結果は、出力音信号ＤRL（ｔ）として、音出力ユニット５２０RLへ送られる。
【００８３】
なお、図８には、本実施形態における帯域制限フィルタ部２６１の特性の例が示されている。この図８に示されるように、帯域制限フィルタ部２６１は、低音域から高音域までの所定の周波数帯域（周波数ＦR1から周波数ＦR2まで）の信号成分を抽出するＢＰＦの特性を有している。
【００８４】
また、図９には、本実施形態におけるＬＰＦ部２７１の特性の例が示されている。この図９に示されるように、ＬＰＦ部２７１は、周波数ＦT以下の周波数範囲の信号成分を選択的に透過させる特性を有している。
【００８５】
また、図１０には、本実施形態におけるＨＰＦ部２７２の特性の例が示されている。この図１０に示されるように、ＨＰＦ部２７２は、周波数ＦT以上の周波数範囲の信号成分を選択的に透過させる特性を有している。
【００８６】
＜個別出力音信号生成部１２１FRの構成＞
次に、上記の個別出力音信号生成部１２１FRの構成について説明する。
【００８７】
個別出力音信号生成部１２１FRは、図１１に示されるように、第１フィルタ部としてのフィルタ部２１０Rと、残響音成分算出部２２０Rとを備えている。また、個別出力音信号生成部１２１FRは、加算部２３０Rを備えている。
【００８８】
ここで、上記のフィルタ部２１０Rは、上述したフィルタ部２１０Lと同様に構成されている。このフィルタ部２１０Rは、音源ユニット５１０から送られたソース音信号ＳR（ｔ）に対して、上方への音場拡大感と前方への奥行き感とを、重み係数Ｗ2R（ｔ）に対応する度合いで創出させるための加工を施す。フィルタ部２１０Rによる加工結果は、加算部２３０Rへ送られる。
【００８９】
上記の残響音成分算出部２２０Rは、上述した残響音成分算出部２２０Lと同様に構成されている。この残響音成分算出部２２０Rは、残響音信号生成部１１０から送られた残響音信号ＹR（ｔ）及び重み係数Ｗ2R（ｔ）に基づいて、フィルタ部２１０Rによる加工結果に重畳すべき残響音成分を算出する。残響音成分算出部２２０Rによる算出結果は、加算部２３０Rへ送られる。
【００９０】
上記の加算部２３０Rは、フィルタ部２１０Rの加算部２１４による加算結果、及び、残響音成分算出部２２０Rの乗算部２２３から送られた乗算結果を受ける。そして、加算部２３０Rは、当該加算結果と当該乗算結果とを加算する。加算部２３０Rによる加算結果は、出力音信号ＤFR（ｔ）として、音出力ユニット５２０FRへ送られる。
【００９１】
＜個別出力音信号生成部１２１RRの構成＞
次に、上記の個別出力音信号生成部１２１RRの構成について説明する。
【００９２】
個別出力音信号生成部１２１RRは、図１２に示されるように、第２フィルタ部の一部としてのフィルタ部２６０Rと、効果音重畳部２７０Rとを備えている。また、個別出力音信号生成部１２１RRは、乗算部２８０Rを備えている。
【００９３】
上記のフィルタ部２６０Rは、上述したフィルタ部２６０Lと同様に構成されている。このフィルタ部２６０Rは、残響音信号生成部１１０から送られた残響音信号ＹR（ｔ）に対して、後横方向及び後方への音場拡大感を、重み係数Ｗ2R（ｔ）に対応する度合いで創出させるための加工を施す。フィルタ部２６０Rによる加工結果は、効果音重畳部２７０Rへ送られる。
【００９４】
上記の効果音重畳部２７０Rは、上述した効果音重畳部２７０Lと同様に構成されている。この効果音重畳部２７０Rは、音源ユニット５１０から送られたソース音信号ＳR（ｔ）に、フィルタ部２６０Rによる加工結果を重畳させる。効果音重畳部２７０Rによる重畳結果は、乗算部２８０Rへ送られる。
【００９５】
上記の乗算部２８０Rは、効果音重畳部２７０Rから送られた重畳結果を受ける。また、乗算部２８０Rは、残響音信号生成部１１０から送られた重み係数Ｗ2R（ｔ）を受ける。そして、乗算部２８０Rは、当該重畳結果に重み係数Ｗ2R（ｔ）を乗算する。乗算部２８０Rによる乗算結果は、出力音信号ＤRR（ｔ）として、音出力ユニット５２０RRへ送られる。
【００９６】
［動作］
次に、上記のように構成された音響信号処理装置１００の動作について説明する。なお、音源ユニット５１０からは、ソース音信号ＳL（ｔ），ＳR（ｔ）が音響信号処理装置１００へ供給されているものとする。
【００９７】
音響信号処理装置１００では、音源ユニット５１０から送られたソース音信号ＳL（ｔ）を、残響音信号生成部１１０、並びに、出力音信号生成部１２０の個別出力音信号生成部１２１FL，１２１RLで受ける。また、音響信号処理装置１００では、音源ユニット５１０から送られたソース音信号ＳR（ｔ）を、残響音信号生成部１１０、並びに、出力音信号生成部１２０の個別出力音信号生成部１２１FR，１２１RRで受ける（図１参照）。
【００９８】
ソース音信号ＳL（ｔ），ＳR（ｔ）を受けた残響音信号生成部１００では、まず、減衰部１１１L，１１１Rが、ソース音信号ＳL（ｔ），ＳR（ｔ）を減衰させた減衰信号ＡL（ｔ），ＡR（ｔ）を算出する。引き続き、正規化部１１２が、減衰信号ＡL（ｔ），ＡR（ｔ）の現時点の信号レベル、及び、残響音信号ＹL（ｔ），ＹR（ｔ）の現時点の信号レベルに基づいて、上述した（３），（４）式により、正規化信号ＮL（ｔ），ＮR（ｔ）を算出する。
【００９９】
そして、正規化部１１２は、算出された正規化信号ＮL（ｔ）を、重み係数算出部１１３Lへ送る。また、正規化部１１２は、算出された正規化信号ＮR（ｔ）を、重み係数算出部１１３Rへ送る（図２参照）。
【０１００】
正規化信号ＮL（ｔ）を受けた重み係数算出部１１３Lは、正規化信号ＮL（ｔ）に基づいて、（５），（６）式により、重み係数Ｗ2L（ｔ），Ｗ1L（ｔ）を算出する。そして、重み係数算出部１１３Lは、算出された重み係数Ｗ1L（ｔ）を、残響音信号レベル算出部１１４Lへ送るとともに、算出された重み係数Ｗ2L（ｔ）を、出力音信号生成部１２０（より詳しくは、個別出力音信号生成部１２１FL，１２１RL）へ送る（図１，２参照）。
【０１０１】
また、正規化信号ＮR（ｔ）を受けた重み係数算出部１１３Rは、正規化信号ＮR（ｔ）に基づいて、（７），（８）式により、重み係数Ｗ2R（ｔ），Ｗ1R（ｔ）を算出する。そして、重み係数算出部１１３Rは、算出された重み係数Ｗ1R（ｔ）を、残響音信号レベル算出部１１４Rへ送るとともに、算出された重み係数Ｗ2R（ｔ）を、出力音信号生成部１２０（より詳しくは、個別出力音信号生成部１２１FR，１２１RR）へ送る（図１，２参照）。
【０１０２】
重み係数Ｗ1L（ｔ）を受けた残響音信号レベル算出部１１４Lは、減衰信号ＡL（ｔ），ＡR（ｔ）、及び、重み係数Ｗ1L（ｔ）に基づいて、上述した（９）式により、次時点の残響音信号ＹL（ｔ）の信号レベルを算出する。そして、残響音信号レベル算出部１１４Lは、新たな信号レベルが算出された残響音信号ＹL（ｔ）を、出力音信号生成部１２０（より詳しくは、個別出力音信号生成部１２１FL，１２１RL）及び正規化部１１２へ送る（図１，２参照）。
【０１０３】
また、重み係数Ｗ1R（ｔ）を受けた残響音信号レベル算出部１１４Rは、減衰信号ＡL（ｔ），ＡR（ｔ）、及び、重み係数Ｗ1R（ｔ）に基づいて、上述した（１０）式により、次時点の残響音信号ＹR（ｔ）の信号レベルを算出する。そして、残響音信号レベル算出部１１４Rは、新たな信号レベルが算出された残響音信号ＹR（ｔ）を、出力音信号生成部１２０（より詳しくは、個別出力音信号生成部１２１FR，１２１RR）及び正規化部１１２へ送る（図１，２参照）。
【０１０４】
ソース音信号ＳL（ｔ）、残響音信号ＹL（ｔ）及び重み係数Ｗ2L（ｔ）を受けた個別出力音信号生成部１２１FLは、出力音信号ＤFL（ｔ）の生成処理を実行する。かかる出力音信号ＤFL（ｔ）の生成処理に際して、個別出力音信号生成部１２１FLでは、フィルタ部２１０Lが、ソース音信号ＳL（ｔ）に対して、上方への音場拡大感と前方への奥行き感とを、重み係数Ｗ2L（ｔ）に対応する度合いで創出させるための加工を、上述のようにして施す。そして、フィルタ部２１０Lは、加工結果を加算部２３０Lへ送る（図５参照）。
【０１０５】
かかるフィルタ部２１０Lによる加工処理と並行して、残響音成分算出部２２０Lが、残響音信号ＹL（ｔ）及び重み係数Ｗ2L（ｔ）に基づいて、フィルタ部２１０Lによる加工結果に重畳すべき残響音成分を、上述のようにして算出する。そして、残響音成分算出部２２０Lは、算出結果を加算部２３０Lへ送る（図５参照）。
【０１０６】
フィルタ部２１０Lによる加工結果及び残響音成分算出部２２０Lによる算出結果を受けた加算部２３０Lは、当該加工結果と当該算出結果とを加算する。そして、加算部２３０Lは、加算結果を、出力音信号ＤFL（ｔ）として、音出力ユニット５２０FLへ送る。
【０１０７】
また、ソース音信号ＳL（ｔ）、残響音信号ＹL（ｔ）及び重み係数Ｗ2L（ｔ）を受けた個別出力音信号生成部１２１RLは、上記の個別出力音信号生成部１２１FLにおける処理と並行して、出力音信号ＤRL（ｔ）の生成処理を実行する。かかる出力音信号ＤRL（ｔ）の生成処理に際して、個別出力音信号生成部１２１RLでは、フィルタ部２６０Lが、残響音信号ＹL（ｔ）に対して、後横方向及び後方への音場拡大感を、重み係数Ｗ2L（ｔ）に対応する度合いで創出させるための加工を、上述のようにして施す。そして、フィルタ部２６０Lは、加工結果を効果音重畳部２７０Lへ送る（図７参照）。
【０１０８】
フィルタ部２６０Lによる加工結果を受けた効果音重畳部２７０Lは、ソース音信号ＳL（ｔ）に、フィルタ部２６０Lによる加工結果を、上述のようにして重畳させる。そして、効果音重畳部２７０Lは、重畳結果を乗算部２８０Lへ送る（図７参照）。
【０１０９】
効果音重畳部２７０Lによる重畳結果を受けた乗算部２８０Lは、当該重畳結果に重み係数Ｗ2L（ｔ）を乗算する。そして、乗算部２８０Lは、乗算結果を、出力音信号ＤRL（ｔ）として、音出力ユニット５２０RLへ送る（図７参照）。
【０１１０】
更に、ソース音信号ＳR（ｔ）、残響音信号ＹR（ｔ）及び重み係数Ｗ2R（ｔ）を受けた個別出力音信号生成部１２１FRは、上記の個別出力音信号生成部１２１FL，１２１RLにおける処理と並行して、出力音信号ＤFR（ｔ）の生成処理を実行する。かかる出力音信号ＤFR（ｔ）の生成処理に際して、個別出力音信号生成部１２１FRでは、フィルタ部２１０Rが、ソース音信号ＳR（ｔ）に対して、上方への音場拡大感と前方への奥行き感とを、重み係数Ｗ2R（ｔ）に対応する度合いで創出させるための加工を、上述のようにして施す。そして、フィルタ部２１０Rは、加工結果を加算部２３０Rへ送る（図１１参照）。
【０１１１】
かかるフィルタ部２１０Rによる加工処理と並行して、残響音成分算出部２２０Rが、残響音信号ＹR（ｔ）及び重み係数Ｗ2R（ｔ）に基づいて、フィルタ部２１０Rによる加工結果に重畳すべき残響音成分を、上述のようにして算出する。そして、残響音成分算出部２２０Rは、算出結果を加算部２３０Rへ送る（図１１参照）。
【０１１２】
フィルタ部２１０Rによる加工結果及び残響音成分算出部２２０Rによる算出結果を受けた加算部２３０Rは、当該加工結果と当該算出結果とを加算する。そして、加算部２３０Rは、加算結果を、出力音信号ＤFR（ｔ）として、音出力ユニット５２０FRへ送る。
【０１１３】
また、ソース音信号ＳR（ｔ）、残響音信号ＹR（ｔ）及び重み係数Ｗ2R（ｔ）を受けた個別出力音信号生成部１２１RRは、上記の個別出力音信号生成部１２１FL，１２１RL，１２１FRにおける処理と並行して、出力音信号ＤRR（ｔ）の生成処理を実行する。かかる出力音信号ＤRR（ｔ）の生成処理に際して、個別出力音信号生成部１２１RRでは、フィルタ部２６０Rが、残響音信号ＹR（ｔ）に対して、後横方向及び後方への音場拡大感を、重み係数Ｗ2R（ｔ）に対応する度合いで創出させるための加工を、上述のようにして施す。そして、フィルタ部２６０Rは、加工結果を効果音重畳部２７０Rへ送る（図１２参照）。
【０１１４】
フィルタ部２６０Rによる加工結果を受けた効果音重畳部２７０Rは、ソース音信号ＳR（ｔ）に、フィルタ部２６０Rによる加工結果を、上述のようにして重畳させる。そして、効果音重畳部２７０Rは、重畳結果を乗算部２８０Rへ送る（図１２参照）。
【０１１５】
効果音重畳部２７０Rによる重畳結果を受けた乗算部２８０Rは、当該重畳結果に重み係数Ｗ2R（ｔ）を乗算する。そして、乗算部２８０Rは、乗算結果を、出力音信号ＤRR（ｔ）として、音出力ユニット５２０RRへ送る。
【０１１６】
上記のようにして生成された出力音信号Ｄj（ｔ）（ｊ＝ＦＬ，ＲＬ，ＦＲ，ＲＲ）を受けた音出力ユニット５２０j（ｊ＝ＦＬ，ＲＬ，ＦＲ，ＲＲ）は、出力音信号Ｄj（ｔ）に対応する音を、スピーカＳＰjから再生出力する。この結果、スピーカＳＰjからは、３次元的な拡がりを有する臨場感のある音場を効果的に創出する音が出力される。
【０１１７】
以上説明したように、本実施形態では、残響音信号ＹL（ｔ），ＹR（ｔ）の次時点における信号レベルの算出に際して、正規化部１１２が、Ｌ，Ｒチャンネルのソース音信号ＳL（ｔ），ＳR（ｔ）の現時点における信号レベルを所定の減衰率Ａで減衰させた減衰信号ＡL（ｔ），ＡR（ｔ）のそれぞれの絶対値の和で、残響音信号ＹL（ｔ），ＹR（ｔ）の現時点の信号レベルのそれぞれを正規化する。そして、残響音信号レベル算出部１１４L，１１４Rが、当該正規化の結果に基づいて、正規化結果が大きな値となるほど、他の個別チャンネルのソース音信号の寄与度を高くして、次時点における残響音信号ＹL（ｔ），ＹR（ｔ）の信号レベルを算出する。
【０１１８】
したがって、本実施形態によれば、ソース音信号ＳL（ｔ），ＳR（ｔ）の信号レベルの変化に追従しつつ、３次元的な拡がりを有する臨場感のある音場を効果的に創出できる出力音信号ＤFL（ｔ），ＤRL（ｔ），ＤFR（ｔ），ＤRR（ｔ）を生成することができる。
【０１１９】
また、本実施形態では、出力音信号ＤFL（ｔ），ＤFR（ｔ）の生成に際して、上方音場拡大フィルタ２１１による上方への音場拡大感と前方への奥行き感の付与の度合いが、正規化部１１２による正規化結果が大きくなるほど大きくなる加工を施す。このため、音場拡大感と前方への奥行き感が適切となる出力音信号ＤFL（ｔ），ＤFR（ｔ）を生成することができる。
【０１２０】
また、本実施形態では、出力音信号ＤRL（ｔ），ＤRR（ｔ）の生成に際して、後方音場拡大フィルタ２６２により後横方向及び後方への音場拡大感を付与する加工を行ったうえで、正規化部１１２による正規化結果が大きくなるほど信号レベルを大きくする。このため、後横方向及び後方への音場拡大感が適切となる出力音信号ＤRL（ｔ），ＤRR（ｔ）を生成することができる。
【０１２１】
［実施形態の変形］
本発明は、上記の実施形態に限定されるものではなく、様々な変形が可能である。
【０１２２】
例えば、上記の実施形態では、Ｌチャンネル及びＲチャンネルという２チャンネルステレオ構成のソース音信号から、残響音効果を付与した４チャンネルマルチサラウンド構成の出力音信号を生成するようにした。これに対し、２チャンネルステレオ構成のソース音信号から、残響音効果を付与した２チャンネルステレオ構成の出力音信号を生成するようにしてもよいし、６チャンネル以上のマルチサラウンド構成の出力音信号を生成するようにしてもよい。なお、２チャンネルステレオ構成の出力音信号を生成する場合には、個別出力音信号生成部５２０RL，５２０RRを省略することができる。
【０１２３】
また、上記の実施形態では、個別のチャンネルごとに、当該個別のチャンネルに対応する残響音信号を生成することにした。これに対し、複数のチャンネルに共通した残響音信号を生成するようにしてもよい。
【０１２４】
また、上記の実施形態では、出力音信号ＤFL（ｔ），ＤFR（ｔ）の生成に際して、上方音場拡大フィルタ２１１による上方への音場拡大感と前方への奥行き感の付与の度合いが、正規化部１１２による正規化結果が大きくなるほど大きくなる加工を施すようにした。これに対し、加工処理を省略して、出力音信号ＤFL（ｔ），ＤFR（ｔ）の生成を行うようにしてもよい。
【０１２５】
また、上記の実施形態では、ソース音信号ＳL（ｔ）、残響音信号ＹL（ｔ）及び重み係数Ｗ2L（ｔ）に基づいて出力音信号ＤFL（ｔ）を生成するとともに、ソース音信号ＳR（ｔ）、残響音信号ＹR（ｔ）及び重み係数Ｗ2R（ｔ）に基づいて出力音信号ＤFR（ｔ）を生成するようにした。これに対し、出力音信号ＤFL（ｔ）の生成に際して、フィルタ部２６０Rによる加工結果を更に重畳させるとともに、出力音信号ＤFR（ｔ）の生成に際して、フィルタ部２６０Lによる加工結果を更に重畳させるようにしてもよい。
【０１２６】
なお、上記の実施形態における音響信号処理装置を、中央処理装置（ＣＰＵ：Central Processing Unit）、ＤＳＰ（Digital Signal Processor）等を備えた演算部としてのコンピュータとして構成し、予め用意されたプログラムを当該コンピュータで実行することにより、音響信号処理装置における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体からロードされて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１２７】
１００              …  音響信号処理装置
１１０              …  残響音信号生成部
１１２              …  正規化部
１１３L，１１３R     …  重み係数算出部
１１４L，１１４R     …  残響音信号レベル算出部
１２０              …  出力音信号生成部
２１０L，２１０R     …  フィルタ部（第１フィルタ部）
２３０L，２３０R     …  加算部
２６０L，２６０R     …  フィルタ部（第２フィルタ部）
２７０L，２７０R     …  効果音重畳部
２８０L，２８０R     …  乗算部（別出力音信号算出部）
【図１】
2014022754.tif 000003
【図２】
2014022754.tif 000004
【図３】
2014022754.tif 000005
【図４】
2014022754.tif 000006
【図５】
2014022754.tif 000007
【図６】
2014022754.tif 000008
【図７】
2014022754.tif 000009
【図８】
2014022754.tif 000010
【図９】
2014022754.tif 000011
【図１０】
2014022754.tif 000012
【図１１】
2014022754.tif 000013
【図１２】
2014022754.tif 000014